(57)【要約】  【課題】  指装着時にフィット感及び安定性が良い指ガイド付き筆記具を提供する。  【解決手段】  指７を挿入可能で、指の第１関節及び第２関節の間に装着可能なリング部と、リング部２より指腹側の形状に沿って指先端側に延びる樋状のガイド部３と、ガイド部と一体又は別体で設けられた筆記部４とからなる指ガイド付き筆記具において、リング部２は、側面から見て指腹側から指背側に向かって末広がりのテーパ形状をなす。【選択図】  図１
2006088587.tif 000002
【特許請求の範囲】
【請求項１】
指を挿入可能で、指の第１関節及び第２関節の間に装着可能なリング部と、リング部より指腹側の形状に沿って指先端側に延びる樋状のガイド部と、ガイド部と一体又は別体で設けられた筆記部とからなる指ガイド付き筆記具において、
前記リング部は、側面から見て指腹側から指背側に向かって末広がりのテーパ形状をなすことを特徴とする指ガイド付き筆記具。
【請求項２】
前記筆記部は、ボールペン、鉛筆芯、チョーク、マーカー、サインペン、電子情報機器端末用磁気、プラスチックペン又は金属芯からなることを特徴とする請求項１記載の指ガイド付き筆記具。
【請求項３】
前記リング部は、指腹側と反対側に長手方向にわたってスリットが形成されていることを特徴とする請求項１又は２記載の指ガイド付き筆記具。
【請求項４】
前記リング部及び／又はガイド部に、通気孔が多数形成されていることを特徴とする請求項１〜３のいずれか１項記載の指ガイド付き筆記具。
【請求項５】
前記ガイド部の長手方向の中心軸に対して所定距離平行にずらして筆記部を設けるようにしたことを特徴とする請求項１〜４のいずれか１項記載の指ガイド付き筆記具。
【発明の詳細な説明】
【技術分野】
【０００１】
本発明は使用者が指に装着可能な指ガイド付き筆記具に関するもので、特に、安定して装着及び筆記可能な指ガイド付き筆記具に関する。
【背景技術】
【０００２】
本願発明者は、指ガイド付き筆記具として、特許文献１に示す指輪付き筆記具を提案した。
【発明の開示】
【発明が解決しようとする課題】
【０００３】
しかし、この従来のものは、以下のような問題があった。
特許文献１に示す筆記具では、リング部２は、側面視で、指腹側から指背側に向かって手の甲方向側の斜め方向に向き、且つ平行な形となっているため、その幅が小さく、指に対して長手方向と垂直方向にぱかぱかと外れやすく、ぐらぐらして指装着時のフィット感及び安定性が良くないという問題がある。
【０００４】
また、リング部の切り込みから、携帯電話のホルダ、ハンドバッグの紐等に装着した場合に、リング部の幅が狭く、且つ外側斜め後方に向いた形となっているため、装着時にも安定してはめこまれず、抜け易く、安定した装着状態とすることができない。
【０００５】
【特許文献１】特開２００３−２７６３９２号公報
【課題を解決するための手段】
【０００６】
本発明はかかる従来のものを更に改良するもので、請求項１記載の発明では、
指を挿入可能で、指の第１関節及び第２関節の間に装着可能なリング部と、リング部より指腹側の形状に沿って指先端側に延びる樋状のガイド部と、ガイド部と一体又は別体で設けられた筆記部とからなる指ガイド付き筆記具において、
前記リング部は、側面から見て指腹側から指背側に向かって末広がりのテーパ形状をなすことを特徴とする。
【０００７】
請求項２記載の発明では、前記筆記部は、ボールペン、鉛筆芯、チョーク、マーカー、サインペン、電子情報機器端末用磁気、プラスチックペン又は金属芯からなることを特徴とする。
【０００８】
請求項３記載の発明では、前記リング部は、指腹側と反対側に長手方向にわたってスリットが形成されていることを特徴とする。
【０００９】
請求項４記載の発明では、前記リング部及び／又はガイド部に、通気孔が多数形成されていることを特徴とする。
【００１０】
請求項５記載の発明では、前記ガイド部の長手方向の中心軸に対して所定距離平行にずらして筆記部を設けるようにしたことを特徴とする。
【発明の効果】
【００１１】
以上のように、本発明のうち請求項１記載の発明によれば、リング部の形状を指の屈曲側である指腹側で狭く且つ指背側に向かってテーパ部の幅が広くなるように形成したため、指装着時にフィット感及び安定性が良いという効果がある。また、装着した指以外の指で保持することができるため、筆記具の向きがしっかりと固定されて、正確かつ綺麗に字、図形等を書くことができる。
【００１２】
請求項２記載の発明によれば、前記筆記具は、ボールペン、鉛筆芯、チョーク、マーカー、サインペン、電子情報機器端末用磁気、プラスチックペン又は金属芯からなることにより、多様な筆記具に応用することが可能となる。
【００１３】
請求項３記載の発明によれば、前記リング部の指腹側と反対側に長手方向にわたってスリットが形成されている構成により、リング部の径の大きさを調整することができ、指の太さの異なる人が使用する場合にも、適切な位置にリング部を位置させることができる。また、筆記具を保管、搬送するような場合にも、リング部に径方向の力がかかってもリング部が破損してしまうことがないという効果がある。リング部のスリットから、携帯電話のホルダやストラップ等に装着した場合には、リング部のテーパ角度が鋭角になるので、従来のように鈍角のものと比較して、リング部を引っ張ってもホルダ等がリング部のテーパ角部に引掛かるため抜け難いという効果がある。
【００１４】
請求項４記載の発明によれば、前記リング部及び／又はガイド部に、通気孔が多数形成されているので、装着時の蒸れ防止が可能となり、快適に使用することができる。
【００１５】
請求項５記載の発明によれば、ガイド部の筆記部取り付け位置を左右いずれかにずらすことにより、筆記時に人差指を左右のいずれかにねかせて筆記するというような筆記のくせがある場合、予め筆記部が同じ側にずれていた方がぐらつかずに安定して書き易いという効果がある。
【発明を実施するための最良の形態】
【００１６】
本発明の実施の形態の指ガイド付き筆記具（以下、単に筆記具）について、図により詳細に説明する。図１は、本発明の実施の形態を示す側面図である。図２は、図１の斜視図で、図３（ａ）は、図１の正面図、（ｂ）は図１の背面図である。
本実施の形態に係る筆記具１は、基本的に、指を挿入可能で、指の第１関節及び第２関節の間に装着可能な所定幅のリング部２と、リング部より指腹側の形状に沿って指先端側に延びる樋状のガイド部３と、ガイド部と一体又は別体で設けられた筆記部４とからなる。リング部２は、好ましくは、人差指に挿入したときに、指の第１関節及び第２関節の間に位置すると良い。
【００１７】
リング部２は、指腹側と反対側に、長手方向にわたってスリット２ａを有する。リング部２は、側面視で、指側面両側に、指腹側から指背側に向かって末広がりのテーパが形成されている。リング部２のテーパにおいて、指の付け根側である後端側のテーパ角度αは、指とのフィット性が好適となるように、約４５±２０°であることが好ましい。また、指先側のテーパ角度βは、指とのフィット性及びホルダ等に装着する際の抜け落ち防止のため、約６０±３０°であることが好ましい。このように、リング部２を、屈曲側である指腹側は屈曲に差し支えない程度の幅とし、指背側を幅広にテーパとすることにより、指へのフィット性が向上し、且つスリット２ａにより携帯電話のホルダ等に装着した場合に、角部９が鋭角であるために、リング部２を引っ張ってもホルダ等がリング部２のテーパ角部に引掛かるため、リング部２がホルダ等から抜け落ちしにくくなる。また、リング部２のテーパ部の最小幅は、約０．７〜１．４ｃｍ程度が好ましい。なお、リング部２は、側面視で、両側の末広がりだけではなく、片側のみの末広がりとするようにしても良い。
【００１８】
ガイド部３は、リング部２より人差指７の腹側に沿って延び人差指７の丸みにフィットした曲率を有する樋状となっている。
【００１９】
本実施の形態の筆記具１は、リング部２とガイド部３とをプラスチック、ダイキャストメタル等で一体成形し、ガイド部３に筆記部４をガイド部３と一体又は別体に設けるようにしたものである。なお、リング部２及びガイド３のその他の材質としては、弾性金属板、ガラス混合の弾性材等の適度の弾性及び強度を有したものであることが好ましい。特にガラス混合弾性材は軽くて丈夫なので好ましい。リング部２の径の大きさは、年齢、性差、体格等による指の太さによって異なるため、用途に応じて大中小の３種類程度あるのが好ましい。
【００２０】
また、装着時の蒸れ防止のため、リング部２とガイド部３に、通気孔２ｂが多数形成されているのが好ましい。通気孔２ｂの形状は、円だけでなく、楕円、多角形、格子状のメッシュ、スリット等であっても良い。通気孔２ｂにより、リング部２とガイド部３が、軽量になり、且つ硬さも調整できる。
【００２１】
また、リング部２及び／又はガイド部３に模様を施したり、又は社名、商品名の広告を載せるようにしても良い。また、その色を透明無色又はカラーにしても良い。
【００２２】
本実施の形態では、筆記部４として、ボールペン４を適用したものである。
【００２３】
ボールペン４は、リング部２及びガイド部３の指腹側の外側長手方向に沿って取り付けられており、その長さもリング部２及びガイド部３の長手方向の長さとほぼ同程度であるのが装着上及び使用上好ましい。また、ボールペン４の径は細い方が良く使用上約９ｍｍ以下であるのが好ましい。
【００２４】
ボールペン４の構成は、図５に示すように、基本的に、外側枠体４ａ、ノック部４ｂ、ペン軸４ｃ及び弾性体４ｄからなる。ペン軸４ｃは、ペン先４ｎ、係止部４ｅ及び軸部４ｆからなる。枠体４ａ内側の先端部と係止部４ｅとの間で、コイルバネからなる弾性体４ｄが抜け落ちないように保持される。軸部４ｆは、図５（ａ）に示すように、ノック部４ｂ内まで延びて、ノック部４ｂの後端で固着されている。
【００２５】
ノック部４ｂは、図５（ｂ）に示すように、内部が中空で、先端側（ペン先側）が開放端となっている。ノック部４ｂの後端から先端に向かって長手方向に、切込みにより形成された切り込み部４ｋを有し、切り込み部４ｋ上に矩形状の第１の突出部４ｌと後端側から先端側に傾斜面を有し、第１の突出部４ｌよりも少し高さが低い台形状の第２の突出部４ｍを設ける。ボールペン４の使用時に、ノック部４ｂの後端を押して、ペン先４ｎを突出させるようにすると、ノック部４ｂの第１の突出部４ｌが枠体４ａの第１の開口部４ｉより突出しているが、同時にこのとき、第２の突出部４ｍも、第１の開口部４ｉより突出する。不使用時には、第１の突出部４ｌを第１の開口部４ｉ内に押し込むと、第２の突出部４ｍと第１の開口部４ｉとの係止が外れて、内部の弾性体４ｄに弾圧されて、後方に押されて、第２の突出部４ｍが第２の開口部４ｊより突出して係止される。かかる動作は通常の同様のボールペンの構造と同様である。
【００２６】
なお、図６に示すように、軸部４ｆの後端部をノック部４ｂの先端側に固定するようにしても良い。この場合は、ノック部４ｂの先端側は、閉鎖されている。この場合には、軸部４ｆがノック部４ｂ内に挿入されないので、ボールペン４の太さを約６ｍｍ程度以下に細くすることができる。
【００２７】
次に、本実施の形態の使用状態を図４により、説明する。
筆記具１の使用時には、人差指７の第１，２関節間にリング部２を挿入し、ガイド部３の樋部に人差指７の指腹が位置するように装着する。ボールペン４のペン先４ｎを出すときには、人差指の第３関節を屈曲させて、第３関節の腹部でノック部４ｂの後端を押すようにして、ペン先４ｎを突出させる。そして、ガイド部３の両側を親指６と中指８で挟んで保持して筆記する。筆記具１の不使用時には、リング部２を逆向きにしてはめ替えて、筆記部４が指の後端側を向くようにしておくと良い。このように、人差指７の屈曲により、ノック部４ｂを押すことが可能であり、また、不使用時には、第１の突出部４ｌを他の指で押込めば良いため、操作性が良く大変使用感が良い。
【００２８】
本発明の筆記具１は、人差指７にはめて筆記をするものであり、筆記具の先端と人差指７の先端が略同位置にあるため、通常の親指、人差指及び中指の間に挟む３指持ちで筆記具を持った場合に比較して、人差指の先端が書きたい字の大きさ及び形状を上からなぞるように動くことができるため、視覚的にも認識しやすい。例えば、丸（○）を描く場合、３指持ちをする通常の筆記具では、支点が親指と人差指、中指で握った点となるため、その場合、人差指の先端の動きは書きたい○そのものの大きさ及び形状とはならないが、本発明の筆記具では、人差指先端部が○そのものと略同一の大きさ及び形状でなぞって動くこととなるので、書きたい字の形状把握を視覚的に容易に行なうことができる。特に、鉛筆や筆記具を上手に持てない幼児、手の動きが不自由な老人等にも大変持ちやすく、正しく３指持ちをしていなくても、筆記具を持つことができるため、スムーズに速く安定して筆記することができる。
【００２９】
また、携帯時には、リング部２のスリット２ａにより、例えば、図示しない携帯電話専用のホルダに装着させるようにしても良い。凹状角部９が、約６０°±３０°と鋭角になるので、従来のように鈍角のものと比較して、抜け難くなる。すなわち、本発明の筆記具１をホルダ等に装着する場合には、ホルダの紐等をリング部２のスリット２ａに差し込み、スリット２ａから角部９の奥までのラインに沿わせて紐等を引くことにより、ホルダの紐等を凹状角部９の奥に位置させることができる。そのため、たとえ、筆記具１を強く引っ張ったとしてもホルダから抜け難い。また、この例では、ホルダの紐等をリング部２のスリット２ａに差し込むこととしているが、紐等の代わりに、金属やプラスチック等の硬質リングをスリット２ａに差し込むこととしても良い。
このように、携帯電話に装着することができるので、通常の筆記具のように、ポケットや鞄に収納させる必要がないため、嵩張らず、また取出しが容易である。また、装着は、スリット２ａにホルダの紐や帯状部を通すだけであり、着脱が容易であるので、携帯電話だけでなく、ハンドバック、リュック等にも装着することができ、且つ出し入れが大変簡易となり、実用的である。
【００３０】
本実施の形態では、筆記部４としてボールペンを適用した例を説明したが、筆記部４は、ボールペンに限定されるものではなく、鉛筆芯、チョーク、マーカー、サインペン、電子情報機器端末用磁気、プラスチックペン又は金属芯等であっても良い。また、鉛筆芯をスライド可能とするような場合には、使用時のみ鉛筆芯を突出させて使用するようにするのが安全上好ましい。また、この他、粉末磁石等をガイド部３の先端に付着させて筆記部４にするようにしても良い。また、単に先端を圧力センサに反応させるような場合には、ガイド部３の先端を所定の鋭角角度とすれば良い。特に、電車等に乗車中に使用する場合にも、通常の筆記具を３指で持つよりも、指にはめて持つため安定感が良く、書き易い。また、筆記具１を指に装着したまま持っていることもできるので、通常の筆記具のように使用前後の出し入れに手間取ることがない。
【００３１】
図７により他の実施の形態について説明する。この実施形態は、ガイド部３の先端を、ガイド部３の長手方向の中心軸に対して所定距離Δｔだけ平行にずらして筆記部４を設けるようにしたものである。
図７（ａ）では、ガイド部３自体をその中心軸よりΔｔだけ先端が右側にずれるように形成したものである。この場合には、特に、ボールペン等の別体の筆記部４をガイド部３に取り付ける代わりに、ガイド部３と一体に筆記部４が設けられている。すなわち、ガイド部３の先端自身を突出させて、ガイド部３と一体に形成されたプラスチック芯を筆記部４として使用するものであり、ガイド部３の先端を押圧させて、タッチセンサ等に使用するものである。
また、図７（ｂ）では、ガイド部３は通常の左右対称形状で、ボールペン４をその中心がガイド部３の長手方向の中心軸に対して右側にΔｔだけずらして取り付けるようにしたものである。
【００３２】
このように、ガイド部３の筆記部取り付け位置をガイド部の中心軸より左右いずれかにずらすことにより、筆記時に人差指を右側に回転させて筆記するというような筆記のくせがある場合、予め筆記部４が右側にずれていた方が安定して書き易い。また、図７（ａ）のように、ガイド部３自体の先端形状を先端中心がガイド部の中心軸に対して右側にずれるように形成すると、ガイド部の中心軸上に先端を有する形状に比較して、装着時に誤って人にぶつかった場合も、一番力のかかる中心軸より突出部分が偏心しているため、傷つけにくくなると考えられ、安全性が高まるという効果もある。
【００３３】
また、リング部２に穴１０を設けるようにしても良い。これにより、リング、キーホルダ等にも引っ掛け易い。
【００３４】
なお、図示していないが、リング部２及びガイド部３の境界部分に、使用指をリング部から抜く時に、抜き易いように、その指の両側の指でその境界部分を挟んで持つための突起状の引掛部を形成するようにしても良い。
【００３５】
また、本実施の形態では、装着時の蒸れ防止のため、通気孔２ｂを形成するようにしているが、これに限定されるものではなく、通気孔がないものであっても良いことは勿論である。
【図面の簡単な説明】
【００３６】
【図１】本発明の実施の形態を示す側面図である。
【図２】図１の斜視図である。
【図３】（ａ）は、図１の正面図、（ｂ）は図１の背面図である。
【図４】本発明の実施の形態の筆記具の使用状態を説明する図であり、人差指に装着させて、ガイド部の両側を親指と中指に保持した状態で、筆記する状態を示す図である。
【図５】筆記部のボールペンの一実施形態を説明する図であり、（ａ）は斜視図、（ｂ）はノック部の斜視図である。
【図６】筆記部のボールペンの他の実施形態を説明する図であり、（ａ）は斜視図、（ｂ）はノック部の斜視図である。
【図７】筆記具の他の実施の形態を示す平面図である。
【符号の説明】
【００３７】
１  筆記具
２  リング部
２ａ  スリット
２ｂ  通気孔
３  ガイド部
４  ボールペン（筆記部）
【図１】
2006088587.tif 000003
【図２】
2006088587.tif 000004
【図３】
2006088587.tif 000005
【図４】
2006088587.tif 000006
【図５】
2006088587.tif 000007
【図６】
2006088587.tif 000008
【図７】
2006088587.tif 000009